(57)【要約】      （修正有）【課題】還元剤を貯留するタンクと燃料を貯留するタンクが車両左右に並べて配置された車両において、補給の容易性を損なわずに、各タンクの容量を増加する。【解決手段】車両に搭載されたエンジンの燃料タンク１３とエンジンの排気中の窒素酸化物を還元反応させて浄化する尿素水を貯留する尿素水タンク１１とを車両の左右方向に並べて配置し、燃料タンク１３側の車両の左右側面に燃料タンク１３の給油口１９及び尿素水タンク１１の給水口１７が備えられた車両のタンク構造２１であって、尿素水タンク１１から燃料タンク１３の上部を車両左右方向に延び、先端部２２ａが尿素水タンク１１の給水口１７に接続され、給水口１７から尿素水を尿素水タンク１１に導入する筒状の導入部２２を備え、導入部２２を燃料タンク１３の上面に埋め込んで接続し、燃料タンク１３と尿素水タンク１１とをタンクユニット２１として一体的に構成する。【選択図】図３
2014118004.tif 000002
【特許請求の範囲】
【請求項１】
車両に搭載されたエンジンの燃料及び前記エンジンの排気中の窒素酸化物を還元反応させて浄化する液体の還元剤のうちいずれか一方を貯留する第１のタンクと他方を貯留する第２のタンクとを前記車両の左右方向に並べて配置し、前記第１のタンク側の前記車両の左右側面に第１のタンク用補給口と第２のタンク用補給口が備えられた車両のタンク構造であって、
前記第２のタンクから前記第１のタンクの上部を車両左右方向に延び、先端部が前記第２のタンク用補給口に接続され、前記第２のタンク用補給口から前記還元剤または前記燃料を前記第２のタンクに導入する筒状の導入部が備えられ、
前記導入部が前記第１のタンクの上面に埋め込まれて接続され、前記第１のタンクと前記第２のタンクとが一体的に構成されていることを特徴とする車両のタンク構造。
【請求項２】
前記車両には、前記車両の前後方向に延びるプロペラシャフトが備えられ、
前記第１のタンク及び前記第２のタンクは前記プロペラシャフトを挟んで配置され、
前記第１のタンクは、上部が前記プロペラシャフトの上方まで車両左右方向に延びて前記第２のタンクに接続することを特徴とする請求項１に記載の車両のタンク構造。
【請求項３】
前記第１のタンクは前記燃料を貯留するタンクであり、前記第２のタンクは、前記還元剤を貯留するタンクであることを特徴とする請求項１または２に記載の車両のタンク構造。
【請求項４】
前記第１のタンクと前記第２のタンクとの間を前記車両の前後方向に延びるプロペラシャフトが備えられるとともに、前記プロペラシャフトに沿って前記車両の前後方向に延びる前記エンジンの排気通路が備えられ、
前記排気通路は、前記プロペラシャフトに対して、前記第１のタンク及び前記第２のタンクのうち前記還元剤が貯留されるタンク側に配置されることを特徴とする請求項１に記載の車両のタンク構造。
【発明の詳細な説明】
【技術分野】
【０００１】
本発明は、車両に搭載されたタンクの構造に関する。
【背景技術】
【０００２】
近年、車両に搭載されたエンジンの排気浄化装置として、尿素水を用いた尿素還元式ＳＣＲ（Selective Catalytic Reduction：選択的触媒還元）装置が採用されているものがある。尿素還元式ＳＣＲ装置は、排気通路に還元触媒を備え、還元触媒の上流側に還元剤である尿素水を噴射して、尿素水からアンモニアを発生させ、当該アンモニアと排気中のＮＯｘ（窒素酸化物）を還元触媒にて触媒還元反応させることにより窒素（Ｎ2）と水（Ｈ2Ｏ）に分解し無害化する。
【０００３】
このような尿素還元式ＳＣＲ装置において、尿素水は、車両に搭載された尿素水タンクに貯留される。
また、エンジンを備えた車両には、燃料を貯留する燃料タンクが搭載されている。このような尿素水タンクや燃料タンクは、車両に搭載される機器としては比較的大きいものであるため、従来からその配置に工夫がなされてきた。
【０００４】
例えば、特許文献１では、燃料タンクの上部に尿素水タンクを配置した構造が開示されている。
【先行技術文献】
【特許文献】
【０００５】
【特許文献１】特開２００９−６２８４１号公報
【発明の概要】
【発明が解決しようとする課題】
【０００６】
しかしながら、上記特許文献１のように尿素水タンクを燃料タンクの上部に配置した場合、燃料タンクの容量が尿素水タンクの容量分減少してしまう。また、尿素水タンクの容量も十分に確保できない虞がある。
乗用車では、通常、比較的スペースを大きく確保可能な後輪の前側のフロア下方に燃料タンクを配置することが多い。更に、ＦＲ車や四輪駆動車のようにフロア下方にプロペラシャフトが設置されている場合には、プロペラシャフトを挟んで左右に尿素水タンク及び燃料タンクを並べて設置することが、各タンクの容量を極力多く確保するのに有効である。
【０００７】
また、車両に尿素水タンク及び燃料タンクを搭載した場合、例えばガソリンスタンドで尿素水及び燃料の両方を容易に補給できるように、燃料の補給口と尿素水の補給口を車両の左右いずれか同一側に設けることが望ましい。
したがって、上記のようにプロペラシャフトを挟んで左右に尿素水タンク及び燃料タンクを並べて設置した車両では、補給口から左右反対側のタンクへ尿素水または燃料を導入する配管を、補給口側のタンクを横切って配置しなければならなくなる。よって補給口側のタンクをこの導入用の配管より下方に配置せざるを得ず、補給口側のタンクの容量を大きく確保することが困難となるといった問題点がある。
【０００８】
本発明は、この様な問題を解決するためになされたもので、その目的とするところは、還元剤を貯留するタンクと燃料を貯留するタンクが車両左右に並べて配置された車両において、補給の容易性を損なわずに、各タンクの容量を増加可能な車両のタンク構造を提供することにある。
【課題を解決するための手段】
【０００９】
上記の目的を達成するために、請求項１の車両のタンク構造は、車両に搭載されたエンジンの燃料及びエンジンの排気中の窒素酸化物を還元反応させて浄化する液体の還元剤のうちいずれか一方を貯留する第１のタンクと他方を貯留する第２のタンクとを車両の左右方向に並べて配置し、第１のタンク側の車両の左右側面に第１のタンク用補給口と第２のタンク用補給口が備えられた車両のタンク構造であって、第２のタンクから第１のタンクの上部を車両左右方向に延び、先端部が第２のタンク用補給口に接続され、第２のタンク用補給口から還元剤または燃料を第２のタンクに導入する筒状の導入部が備えられ、導入部が第１のタンクの上面に埋め込まれて接続され、第１のタンクと第２のタンクとが一体的に構成されていることを特徴とする。
【００１０】
また、請求項２の車両のタンク構造は、請求項１において、車両には、車両の前後方向に延びるプロペラシャフトが備えられ、第１のタンク及び第２のタンクはプロペラシャフトを挟んで配置され、第１のタンクは、上部がプロペラシャフトの上方まで車両左右方向に延びて第２のタンクに接続することを特徴とする。
また、請求項３の車両のタンク構造は、請求項１または２において、第１のタンクは燃料を貯留するタンクであり、第２のタンクは、還元剤を貯留するタンクであることを特徴とする。
【００１１】
また、請求項４の車両のタンク構造は、請求項１において、第１のタンクと第２のタンクとの間を車両の前後方向に延びるプロペラシャフトが備えられるとともに、プロペラシャフトに沿って車両の前後方向に延びるエンジンの排気通路が備えられ、排気通路は、前記プロペラシャフトに対して、第１のタンク及び第２のタンクのうち還元剤が貯留されるタンク側に配置されることを特徴とする。
【発明の効果】
【００１２】
請求項１の発明によれば、車両の左右方向に並べて第１のタンク及び第２のタンク、即ち還元剤タンクと燃料タンクが配置され、第１のタンクと第２のタンクとが接続して一体的に構成されることで、第１のタンクと第２のタンクとの隙間を埋めて各タンクの容量を大きく確保することができる。
また、第１のタンク側の車両の左右側面に第１のタンク用補給口及び第２のタンク用補給口が備えられるので、還元剤及び燃料の補給を車両の左右同一側から行うことができ、還元剤及び燃料の補給性の向上を図ることができる。
【００１３】
更に、第２のタンク用補給口から車両の左右反対側に位置する第２のタンクへ還元剤または燃料を導入する導入部が、第１のタンクの上面に埋め込まれて配置されるので、第１のタンクを導入部より下方に配置する場合よりも第１のタンクの容量を増加させることができる。
請求項２の発明によれば、第１のタンクの上部が、プロペラシャフトの上方まで車両左右方向に延びて第２のタンクに接続するので、プロペラシャフトの上方のスペースを利用して第１のタンクを拡大して容量を増加させることができる。
【００１４】
請求項３の発明によれば、第１のタンク用補給口及び第２のタンク用補給口に近い第１のタンクが燃料タンクであり、各補給口から遠い第２のタンクが尿素水タンクなので、燃料の補給経路を短くして安全性を高めることができる。
また、第１のタンクの上部が、プロペラシャフトの上方まで車両左右方向に延びて第２のタンクに接続する場合には、還元剤と比較して消費量の多い燃料タンクを拡大して容量を増加させることができ、燃料及び還元剤の補給間隔を効果的に延長させることができる。
【００１５】
請求項４の発明によれば、プロペラシャフトに沿って車両の前後方向に延びる排気通路が、プロペラシャフトに対して、第１のタンク及び第２のタンクのうち還元剤が貯留されるタンク側に配置されるので、高熱となる虞のある排気通路と燃料タンクとを極力遠ざけ、安全性を向上させることができる。
【図面の簡単な説明】
【００１６】
【図１】本発明の実施形態に係る車両の下面図である。
【図２】本発明の実施形態に係るタンクユニットの構造を示す上面図である。
【図３】本実施形態に係るタンクユニットの縦断面図である。
【図４】本実施形態に係るタンクユニットの左側面図である。
【発明を実施するための形態】
【００１７】
以下、本発明の実施の形態を図面に基づき説明する。
図１は、本発明の実施形態に係る車両１の下面図である。
図１に示すように、本実施形態の車両１は、走行駆動源としてディーゼルエンジン（以下、エンジン２という）を車体３の前部に搭載した乗用車であり、エンジン２の駆動力によって後輪４が駆動可能なように、車体３の左右方向中央部を前後方向に延びるプロペラシャフト５が備えられている。
【００１８】
また、車両１には、エンジン２の排気浄化装置として、尿素ＳＣＲ（Selective Catalytic Reduction）システムが搭載されている。
尿素ＳＣＲシステムは、エンジン２の排気通路（排気管７）に設けられたＳＣＲ触媒８と、ＳＣＲ触媒８の上流側の排気管７内に尿素水（還元剤）を噴射する還元剤噴射弁１０を備えている。
【００１９】
排気管７内に噴射された尿素水は、加水分解してアンモニアを発生する。
ＳＣＲ触媒８は、尿素水から発生したアンモニアにより排気中のＮＯx(窒素酸化物)を窒素と水に分解する機能を有する公知の触媒である。
ＳＣＲ触媒８から排出された排気は、プロペラシャフト５に沿って設けられた排気管７を通過して車両後部に排出される。なお、排気管７は、プロペラシャフト５の車両右側に配置されている。
【００２０】
還元剤噴射弁１０には、車両１に搭載された尿素水タンク１１（第２のタンク）に貯留された尿素水が供給される。尿素水タンク１１は、車両１の後輪４の前側、かつ車室のフロア１２の下方に搭載されている。
また、車両１の後輪４の前側、かつ車室のフロア１２の下方には、エンジン２の燃料を貯留する燃料タンク１３（第１のタンク）が搭載されている。
【００２１】
尿素水タンク１１及び燃料タンク１３は、車両１のシャシフレームの間、詳しくは左右一対のサイドフレームの間で、プロペラシャフト５及び排気管７を左右に挟むように配置されている。
尿素水タンク１１への尿素水の給水口１４（第２のタンク用補給口）と燃料タンク１３への燃料の給油口１５（第１のタンク用補給口）は、車体３の左側面１６に並べて、左後輪４ａの上部に設けられている。
【００２２】
尿素水タンク１１の左側端部には、尿素水タンク１１内に尿素水を導入する尿素水配管１７が設けられ、当該尿素水配管１７と給水口１４とは給水ホース１８により接続されている。また、燃料タンク１３の左側部には、燃料タンク１３内に燃料を導入する燃料配管１９が設けられ、当該燃料配管１９と給油口１５とは燃料ホース２０により接続されている。
【００２３】
図２は、タンクユニット２１の形状を示す上面図である。図３は、タンクユニット２１の縦断面図である。図４は、タンクユニット２１の左側面図である。
図２、３に示すように、尿素水タンク１１及び燃料タンク１３は、一体となってタンクユニット２１を構成している。
尿素水タンク１１と燃料タンク１３は、上部がプロペラシャフト５の上方で接続されている。燃料タンク１３は、その右側上部がプロペラシャフト５を越えるまで車両右方に延長しており、プロペラシャフト５の上方にも燃料を貯留可能な空間を有している。
【００２４】
また、尿素水タンク１１の前後方向中央部の上部が車両左方向へ延びて、矩形筒状の導入部２２が形成されている。導入部２２は、燃料タンク１３の左側面と略同一の位置まで先端部２２ａが車両左方向へ延びており、底壁２２ｂが車両左方から右方、即ち導入部２２の先端部２２ａから尿素水タンク１１に向かって下方へ傾斜している。そして、この導入部２２の先端部２２ａに尿素水配管１７が設けられている。したがって、尿素水配管１７に尿素水を供給すると、導入部２２内を通過して、尿素水タンク１１の車両右側の本体部内に導入されるようになっている。なお、この導入部２２の底壁２２ｂは、車両左側を下方とする許容角度の傾斜地に車両１を駐車した場合でも、尿素水が導入部２２の先端部２２ａから車両右側の尿素水タンク１１の本体部内に流入するように傾斜角が設定されている。
【００２５】
また、図３、４に示すように、燃料タンク１３の上面と尿素水タンク１１の上面とは、上下方向で略同一に位置しており、フロア１２の下面近傍まで上方に位置している。
尿素水タンク１１の導入部２２は、燃料タンク１３の上壁に設けた凹み１３ａに挿入されて一体となって燃料タンク１３に固定されている。導入部２２の上面とその前後の燃料タンク１３の上面とが略面一になっている。
【００２６】
以上のような構成により、本実施形態の車両１では、後輪４の前側のフロア１１下部のスペースに尿素水タンク１１及び燃料タンク１３が搭載されている。尿素水タンク１１及び燃料タンク１３は、車両左右方向中央部を前後方向に延びるプロペラシャフト５を挟んで、左右に並ぶように配置されており、車両１の空いたスペースを利用して容量を大きく確保することが可能となっている。
【００２７】
特に、本実施形態では、尿素水タンク１１と燃料タンク１３とが接続してタンクユニット２１として一体的に構成されているので、尿素水タンク１１と燃料タンク１３との間の隙間を埋めて夫々のタンク１１、１３の容量を大きく確保することができる。
また、給水口１４から車両左右反対側の尿素水タンク１１へ尿素水を導入する導入部２２が設けられているので、上記のように尿素水タンク１１及び燃料タンク１３をプロペラシャフト５を挟んで車両の左右に並ぶように配置しているにもかかわらず、尿素水タンク１１に尿素水を補給する給水口１４と、燃料タンク１３に燃料を補給する給油口１５とを、車体３の左側面１６に並べて配置することができる。これにより、尿素水と燃料の両方を車両１の左右同一側から補給することができ、補給性を向上させることができる。
【００２８】
また、導入部２２が燃料タンク１３の上面に埋め込まれて配置されるので、燃料タンク１３を導入部２２より下方に配置する場合よりも燃料タンク１３の容量を増加させることができる。また、導入部２２が燃料タンク１３の上面に固定されることから、導入部２２の先端部２２ａを車体３に固定する支持部材を新たに設ける必要がなく、車体３の構造の簡素化を図ることができる。
【００２９】
また、燃料タンク１３の上部がプロペラシャフト５の上方まで車両右方に延びているので、プロペラシャフト５の上方のスペースを利用して燃料タンク１３の容量を増加させることができる。一般的に尿素水よりも燃料の方が多く消費されるので、燃料タンク１３の容量を増加させることで、燃料及び尿素水の補給間隔を有効的に延長させることができる。
【００３０】
また、本実施形態では、車両左右方向に並んで配置された尿素水タンク１１及び燃料タンク１３のうち、給油口１５に近い車両左側に燃料タンク１３が配置されるので、可燃性の高い燃料の補給経路を短くして安全性を高めることができる。
更に、本実施形態の車両１では、プロペラシャフト５に沿って尿素水タンク１１側である車両右側に排気管７が配置されている。これにより、高熱になる虞のある排気管７を燃料タンク１３から極力遠ざけて、安全性を向上させることができる。
【００３１】
なお、本発明は、上記実施形態に限定されるものではない。例えば、上記実施形態では、導入部２２が燃料タンク１３の前後方向中央部を左右に横切るように配置されているが、当該中央位置から前後にオフセットした位置を横切るように導入部２２を配置してもよい。
また、上記実施形態では、給水口１４及び給油口１５側である車両左側に燃料タンク１３を配置し、給水口１４及び給油口１５側とは反対側に尿素水タンク１１を搭載しているが、尿素水タンク１１と燃料タンク１３とを左右逆に配置したものでもよい。
【００３２】
また、ＦＦ車のようにプロペラシャフト５のない車両にも、本願発明を適用可能である。この場合、プロペラシャフト５のスペースを利用して燃料タンク１３や尿素水タンク１１を拡大し、更なる容量増加を図ってもよい。
また、以上の実施形態では、還元剤として尿素水を用いており尿素水タンク１１を車両１に搭載しているが、尿素水以外の液体の還元剤を貯留するタンクを搭載する車両であっても、本願発明を適用することができる。
【符号の説明】
【００３３】
１  車両
２  エンジン
５  プロペラシャフト
７  排気管（排気通路）
１１  尿素水タンク(第２のタンク)
１３  燃料タンク（第１のタンク）
１４  給水口（第２のタンク用補給口）
１５  給油口（第１のタンク用補給口）
２１  タンクユニット
２２  導入部
【図１】
2014118004.tif 000003
【図２】
2014118004.tif 000004
【図３】
2014118004.tif 000005
【図４】
2014118004.tif 000006